(57)【要約】【課題】十分な明るさが得られるとともに、消費電力が低い反射型液晶表示装置を提供することを目的としている。【解決手段】互いに対向する一対の基板１０１、１０２と、一対の基板１０１、１０２間に挟持されているとともに、同一の方向に配向した屈折率異方性媒体からなる層を複数有する液晶層１０４と、を有する液晶表示装置であって、複数の層は、一対の基板１０１、１０２の基板面に対し略平行に配置されているとともに、電界によって隣接する層との屈折率差を制御され、一対の基板１０１、１０２の一方は、液晶層１０４に入射した光を吸収する光吸収板ＡＰを有する液晶表示装置。【選択図】図５
2008102288.tif 000002
【特許請求の範囲】
【請求項１】
互いに対向する一対の基板と、
前記一対の基板間に挟持されているとともに、同一の方向に配向した屈折率異方性媒体からなる層を複数有する液晶層と、を有する液晶表示装置であって、
前記複数の層は、前記一対の基板の基板面に対し略平行に配置されているとともに、電界によって隣接する層との屈折率差を制御され、
前記一対の基板の一方は、前記液晶層に入射した光を吸収する光吸収板を有する液晶表示装置。
【請求項２】
前記複数の層は、強誘電性液晶の交互傾斜相からなる請求項１記載の液晶表示装置。
【請求項３】
前記複数の層は、反強誘電性液晶からなる請求項１記載の液晶表示装置。
【請求項４】
前記複数の層のそれぞれに含まれる液晶分子のチルト方向と基板面とのなす角が１５°乃至７５°である請求項１記載の液晶表示装置。
【請求項５】
前記液晶層の厚さは、３μｍ以上である請求項１記載の液晶表示装置。
【発明の詳細な説明】
【技術分野】
【０００１】
この発明は、液晶表示装置に関し、特に、反射型液晶表示装置に関する。
【背景技術】
【０００２】
近年、液晶表示装置はノートパソコン、モニタ、カーナビゲーション、関数電卓、および中小型ＴＶ等、様々な分野に応用されている。なかでも、反射型液晶表示素子は、バックライトが不要であることから低消費電力、かつ、薄型軽量といった利点を活かすべく携帯機器用ディスプレイヘに応用されている。
【０００３】
しかしながら、従来の反射型液晶表示素子は、紙、印刷物などと比較して明るさの点で劣る表示性能である。また、透過型液晶表示素子も携帯機器用ディスプレイに応用されている。また、電池を電源とするため、十分な駆動時間を得ようとするとバックライトの輝度を下げざるをえず、十分な明るさが得られない。
【０００４】
これらの液晶表示素子の明るさが不十分である要因の一つは、表示の明暗を制御するのに必要な部材、例えば、ＴＮモードやＥＣＢモードで用いる偏光板による光吸収である。
【０００５】
この問題を解決する手段として、高分子分散型液晶（ＰＤＬＣ：Polymer Dispersed Liquid Crystal）に代表される散乱型液晶表示素子がある。ランダム配列された液晶と屈折率異方性のない等方層との屈折率差若しくはランダム配列された液晶の分子同志の屈折率差にて入射した光の散乱及び散乱反射を利用するものである。
【０００６】
この散乱型液晶表示装置を反射型の液晶表示装置として用いる場合、散乱反射で明状態となる。液晶層に電界を印加して、光が入射する方向に対して等方層と液晶層の屈折率を等しくする、若しくは、液晶層の分子間の屈折率を等しくし、液晶表示装置の後側に配置した遮光層にて入射光を吸収し暗状態を得ている（特許文献１参照）。
【特許文献１】特開平１１−３８４５２号公報
【発明の開示】
【発明が解決しようとする課題】
【０００７】
しかしながら、散乱型液晶表示装置におけるランダム配列された液晶と屈折率異方性のない等方層との屈折率差は、液晶分子の異常光屈折率と常光屈折率の平均値と常光屈折率の差しか得られず、現在実用的に用いられる液晶材料では、大きくても０．１３程度しか得られない。このため、十分な反射率を得るには液晶層の厚みを厚くする必要があり、液晶の駆動電圧が著しく高くなる。そうすると、消費電力が高くなる。
【０００８】
また、従来の散乱型液晶表示装置は反射型として用いた場合、十分な明るさが得られておらず、結果的にコントラスト比も不十分なものであった。
【０００９】
本発明は上記の問題点に鑑みてなされたものであって、十分な明るさが得られるとともに、消費電力が低い反射型液晶表示装置を提供することを目的としている。
【課題を解決するための手段】
【００１０】
本発明の態様による液晶表示装置は、互いに対向する一対の基板と、前記一対の基板間に挟持されているとともに、同一の方向に配向した屈折率異方性媒体からなる層を複数有する液晶層と、を有する液晶表示装置であって、前記複数の層は、前記一対の基板の基板面に対し略平行に配置されているとともに、電界御によって隣接する層との屈折率差を制御され、前記一対の基板の一方は、前記液晶層に入射した光を吸収する光吸収板を有する。
【発明の効果】
【００１１】
この発明によれば、十分な明るさが得られるとともに、消費電力が低い反射型液晶表示装置を提供することができる。
【発明を実施するための最良の形態】
【００１２】
以下に、本発明の一実施形態に係る液晶表示装置について図面を参照して説明する。図１に示すように、本実施形態に係る液晶表示装置は互いに対向する一対の基板、すなわち、アレイ基板１０１および対向基板１０２と、アレイ基板１０１と対向基板１０２とに挟持された液晶層１０４とを有する反射型の液晶表示パネル１００を有している。
【００１３】
液晶表示パネル１００は、マトリクス状に配置された複数の表示画素ＰＸからなる表示領域１１０と、表示領域１１０を囲む周辺領域１２０とを有している。図１に示すように、表示領域１１０は、外縁シール部材１０３によって囲まれた領域内に形成され、その外周に沿って周辺領域１２０が配置されている。
【００１４】
表示領域１１０には、図２に示すように、複数の信号線Ｘ（Ｘ１〜Ｘｎ）と複数の走査線Ｙ（Ｙ１〜Ｙｍ）が交差するように配置されている。図１に示す周辺領域１２０において、アレイ基板１０１は、走査線Ｙを駆動する走査線駆動回路１２１と、信号線Ｘを駆動する信号線駆動回路１２２とを備えている。
【００１５】
表示領域１１０において、アレイ基板１０１は、各表示画素ＰＸに配置され、マトリクス状に配置されたｍ×ｎ個の画素電極１３１を備える。一方、対向基板１０２は、液晶層１０４を挟んで全ての画素電極１３１に対向する対向電極１７３を備える。
【００１６】
図５、図６は本実施形態に係る液晶表示装置の一例を概略的に示す図である。図５に示すように、本実施形態に係る液晶表示装置では、液晶層１０４がアレイ基板１０１および対向基板１０２の基板面に略平行な複数の層を有している。画素電極１３１および対向電極１７３に電圧を印加していない状態では、各層で液晶分子のチルト方向がアンチパラレルになっている。
【００１７】
このため、液晶層１０４は、液晶分子の長軸方位において、ある方向から入射した光の成分に対しては、各液晶層間で屈折率の異なる媒体として作用する。ここで、本実施形態の説明において、液晶分子の長軸方位とは、液晶分子の長軸方向のアレイ基板１０１および対向基板１０２の基板面に略平行な面内の成分を言うものとする。したがって、液晶層１０４に入射した光は、これら複数の層の境界面で反射される。そうすると、光は複数の層間の境界面で多重に反射され、白表示状態となる。
【００１８】
一方、画素電極１３１および対向電極１７３に電圧を印加した状態では、液晶層１０４に生じる電界により液晶分子は概略ホメオトロピック配列をとる。このため、液晶層１０４は、光学的に等方性媒体として作用する。したがって、液晶層１０４に入射した光は液晶層１０４の各層の境界面で反射されず、光吸収板ＡＰで吸収されて黒表示状態となる。
【００１９】
すなわち、光の反射は全反射条件（ｓｉｎθ＜ｎｅ／ｎｏ）を満たす場合に起こり、この条件を利用して、複数の層の屈折率を電界制御することによって、表示状態をスイッチングすることができる。ここで、液晶層１０４の屈折率異方性媒体、すなわち、液晶分子の長軸方位の屈折率をｎｅ、これと略直交する方位の屈折率をｎｏとする。
【００２０】
そのため、上記の様に、アレイ基板１０１が光吸収板ＡＰを有することによって、アレイ基板１０１が反射電極を有することなく反射表示させることができる。さらに、この表示方式では、従来の液晶表示装置で用いられていた偏光板が不要となる為、非常に明るい反射表示および透過表示が可能となる。
【００２１】
また、アレイ基板１０１は、ｍ×ｎ個の画素電極１３１に対応して走査線Ｙおよび信号線Ｘの交差箇所近傍に、スイッチング素子１４０として配置されたｍ×ｎ個の薄膜トランジスタ（ＴＦＴ）を備える。
【００２２】
スイッチング素子１４０の、ソース電極１４５（図４に示す）は、対応する信号線Ｘに接続されている（あるいは一体となっている）。スイッチング素子１４０のゲート電極１４３（図４に示す）は、対応する走査線Ｙに接続されている（あるいは一体となっている）。スイッチング素子１４０のドレイン電極１４４（図４に示す）は、画素電極に接続されている（あるいは一体となっている）。
【００２３】
アレイ基板１０１は、各画素電極１３１の箇所に、それと同電位となるように補助容量電極１５１を備えている。さらに、アレイ基板１０１は、各補助容量電極１５１に接続された補助容量線１５２と、各補助容量線１５２および対向電極１７３に接続された対向電極駆動回路１２３を備えている。対向電極駆動回路１２３は、各補助容量線１５２および対向電極１７３を所定の電位に制御する。補助容量は、各補助容量電極１５１とそれに接続された補助容量線１５２によって構成される。
【００２４】
図３は、周辺領域１２０と表示領域１１０の境界近傍における液晶表示パネル１００の断面図である。また、図４は、図２に示す走査線Ｙと信号線Ｘとの交差箇所近傍におけるアレイ基板１０１の断面図である。以下に、図３および図４に示す各構成部を説明する。
【００２５】
図３および図４に示すように、アレイ基板１０１の表示領域１１０においては、絶縁性基板１１１上に、アンダーコート層１１２が配置されている。このアンダーコート層１１２上には、スイッチング素子１４０が配置されている。
【００２６】
このスイッチング素子１４０は、アンダーコート層１１２上にはポリシリコン膜によって形成された半導体層１４１が配置されている。半導体層１４１は、チャネル領域１４１Ｃならびに、その両側にそれぞれ不純物をドープすることによって形成されたドレイン領域１４１Ｄ及びソース領域１４１Ｓから構成されている。また、アンダーコート層１１２上には、不純物ドープされたポリシリコン膜からなる補助容量電極１５１が配置されている。
【００２７】
アンダーコート層１１２、半導体層１４１および補助容量電極１５１の上には、ゲート絶縁膜１４２が形成される。このゲート絶縁膜１４２上には、ゲート電極１４３と、それと一体の走査線Ｙと、補助容量線１５２が形成される。補助容量線１５２の一部は補助容量電極１５１に対向している。補助容量線１５２は、走査線Ｙと同一の材料によって形成され、走査線Ｙに対して略平行に延びている。
【００２８】
ゲート絶縁膜１４２、ゲート電極１４３、走査線Ｙおよび補助容量線１５２の上には、層間絶縁膜１１３が配置されている。この層間絶縁膜１１３上には、ドレイン電極１４４と、信号線Ｘと、ソース電極１４５と、コンタクト電極１５３が配置されている。
【００２９】
信号線Ｘは、走査線Ｙおよび補助容量線１５２に対して略直交するように配置されている。また、信号線Ｘ、走査線Ｙ、及び補助容量線１５２は、遮光性を有する低抵抗材料によって形成される。
【００３０】
例えば、走査線Ｙ及び補助容量線１５２は、モリブデンータングステンによって形成され、信号線Ｘは、多くの場合、アルミニウムによって形成されたドレイン電極１４４およびソース電極１４５は、ゲート絶縁膜１４２及び層間絶縁膜１１３を貫通するコンタクトホール１１４Ａおよび１１４Ｂをそれぞれ介して、ドレイン領域１４１Ｄおよびソース領域１４１Ｓにそれぞれ接続されている。
【００３１】
また、コンタクト電極１５３は、ゲート絶縁膜１４２及び層間絶縁膜１１３を貫通するコンタクトホール１５４を介して、補助容量電極１５１に接続される。コンタクト電極１５３は、信号線Ｘと同一材料によって形成され、信号線Ｘに接続されている。そのため、ソース電極１４５、画素電極１３１および補助容量電極１５１は同電位となる。
【００３２】
表示領域１１０では、層間絶縁膜１１３、ドレイン電極１４４、ソース電極１４５、走査線Ｙ、信号線Ｘおよびコンタクト電極１５３の上に、透明樹脂層１１５がさらに配置されている。周辺領域１２０では、遮光層１１６がさらに配置されている。
【００３３】
この透明樹脂層１１５上には、ＩＴＯ（Indium  Tin  Oxide）等の光透過性導電部材によって画素電極１３１が配置されている。画素電極１３１は、透明樹脂層１１５を貫通するスルーホール１１７を介して、スイッチング素子１４０のソース電極１４５に接続されている。また、透明樹脂層１１５上には、例えば、高さ２．０μｍの柱状スペーサ１１８が配置されている。
【００３４】
透明樹脂層１１５および画素電極１３１の上には、柱状スペーサ１１８も覆うように、配向膜１１９が配置される。配向膜１１９は、液晶層１０４に含まれる液晶１０６を、アレイ基板１０１の基板面に対して略垂直な方向に配向させるものである。
【００３５】
一方、対向基板１０２は、ガラス基板などの透明な絶縁性基板１７１を有している。表示領域１１０において、対向基板１０２は、絶縁性基板１７１上に、赤のカラーフィルタ層１７２Ｒ、緑のカラーフィルタ層１７２Ｇ、青のカラーフィルタ層１７２Ｂが配置されている。これらのカラーフィルタ層上には、全ての画素電極１３１に対向するように対向電極１７３が配置されている。
【００３６】
対向電極１７３は、ＩＴＯ等の光透過性導電部材によって形成されている。対向電極１７３上には、液晶層１０４の液晶１０６を対向基板１０２の基板面に対して略垂直な方向に配向させる配向膜１７４が配置されている。アレイ基板１０１と対向基板１０２とは、外縁シール部材１０３で貼り合わせられている。上記の実施形態に係る液晶表示装置の実施例および比較例に係る液晶表示装置について以下に説明する。
【００３７】
（第１実施例）
以下、本発明の実施形態の実施例について図面を用いて詳細に説明する。図７および図８は、本発明の一実施形態に係る液晶表示装置の構成を説明するための断面図である。図７及び図８に示すように、本実施例に係る液晶表示装置は、一対の基板、すなわち、アレイ基板１０１および対向基板１０２と、アレイ基板１０１および対向基板１０２間に挟持された液晶層１０４とを有している。
【００３８】
アレイ基板１０１は、対向基板１０２側から液晶層１０４に入射した光を吸収する光吸収板ＡＰを有している。対向基板１０２は、対向基板１０２の表面での光の反射を防止する反射防止膜ＡＲＦを有している。
【００３９】
この液晶表示装置において、液晶層１０４は、電圧が印加されていない状態では、図７に示すように、複数の層を有している。それぞれの層において、液晶分子は、そのチルト方向ベクトルとアレイ基板１０１および対向基板１０２の基板面に対して所定の角θ（以下プレチルト角と言う）を成すとともに、略同一の方位に配向して分布している。さらに、隣接する層において、液晶分子の配向方位は非平行である。
【００４０】
すなわち、図７に示すように、液晶層１０４内の複数の層は、アレイ基板１０１および対向基板１０２の基板面に対し略平行に配置されているとともに、隣接する層との屈折率は、基板面に対して略直交しない方向から入射する光に対して異なるものとなっている。
【００４１】
従って、上記の液晶表示装置の対向基板１０２側から、基板面に略直交しない方向からの光が液晶層１０４内に入射すると、光は複数の層の境界面において反射され、白表示状態となる。
【００４２】
また、アレイ基板１０１の画素電極（図示せず）および対向基板１０２の対向電極（図示せず）に所定の電圧を印加すると、液晶分子は、図８に示すようにアレイ基板１０１及び対向基板１０２の基板面に対して略直交する方向に配向する。そうすると、液晶層１０４の隣接する層の屈折率が略等しくなる。
【００４３】
このとき、対向基板１０２側から液晶層１０４内に入射する光は、対向基板１０２の表面に取り付けられた反射防止膜により、対向基板１０２の表面で反射されることなく液晶層１０４内に入射し、複数の層の境界面において反射されることなくアレイ基板１０１の光吸収板ＡＰで吸収される。そうすると、液晶表示装置の表示領域１１０では黒表示がされることとなる。
【００４４】
次に、本実施形態に係る液晶表示装置の製造方法について以下に説明する。
【００４５】
まず、アレイ基板１０１には、前述の本実施形態に係る液晶表示装置の場合と同様に、通常のＴＦＴプロセスによりＴＦＴ素子及び信号線Ｘ、走査線Ｙ等を形成した。その上に概略５μｍの高さのスペーサをフォトレジストにより形成し、アレイ基板１０１を形成する。
【００４６】
一方対向基板１０２としては、通常のプロセスによりカラーフィルタを形成する。これらアレイ基板１０１および対向基板１０２に、垂直配向膜として（株）ＪＳＲ製垂直配向膜材料を表示領域全域を覆うように印刷し、１８０℃で３０分の焼成を施して６００Åの膜厚となる垂直配向膜６を得る。
【００４７】
その後、アレイ基板１０１において表示領域１１０の周辺にシール材をスクリーン印刷して、対向基板１０２と組み合せ、熱硬化によりアレイ基板１０１と対向基板１０２とを貼りあわせた。その後、アレイ基板１０１と対向基板１０２との間に、スメティック液晶の交互傾斜相（ＳｍＣＡ）を示す液晶を注入した。
【００４８】
従って、液晶層１０４内で、液晶分子は複数の層を形成するように分布するとともに、各層において液晶分子の配向方位がほぼ一定となっている。さらに、隣接する層において、液晶分子の傾く向きが非平行となっている。
【００４９】
次に、注入口を紫外線硬化樹脂で閉じ、アレイ基板１０１のうら側に光吸収板ＡＰを貼り付け、駆動回路を組み込むことにより液晶表示装置を製造した。
【００５０】
上記の様に形成された液晶表示装置の光学特性を評価したところ、本実施形態に係る液晶表示装置における白表示の反射率は、標準白色板に対して７０％であった。また、本実施形態に係る液晶表示装置のコントラスト比は３０：１であった。すなわち、本実例に係る液晶表示装置によれば、非常に明るくコントラストの高い液晶表示装置であって、表示品位の高いものを提供することができる。
【００５１】
（第２実施例）
次に、本実施形態の第２実施例に係る液晶表示装置について説明する。本実施例では、第１実施例とは異なる液晶を用いて液晶表示装置を形成した。すなわち、本実施例に係る液晶表示装置は、第１実施例に係る液晶表示装置と同様に、アレイ基板１０１と、対向基板１０２と、アレイ基板１０１および対向基板１０２間に挟持された液晶層１０４を有している。
【００５２】
本実施例の場合、液晶層１０４となる液晶には、反強誘電性液晶（ＭＨＰＯＢＣ）を用いた。本実施例に係る液晶表示装置は、このこと以外は上記の第１実施例と同様であることから、同一の部分は同一の符号を付して説明を省略する。
【００５３】
本実施例に係る液晶表示装置の表示状態について評価したところ、白表示の反射率は標準白色板に対して６５％、コントラスト比は２５：１であった。すなわち、本実施例に係る液晶表示装置によれば、非常に明るくコントラストの高い液晶表示装置であって、表示品位の高いものを提供することができる。
【００５４】
（第１比較例）
次に、本発明の第１比較例に係る液晶表示装置について説明する。図９に示すように、本比較例に係る液晶表示装置は、第１実施例とは異なる液晶を用いて形成した。すなわち、本比較例では、液晶層１０４となる液晶にはスメクティックＣ相（ＳｍＣ）を示す液晶を用いた。このこと以外は、前述の第１実施例に係る液晶表示装置と同様であることから、同一の構成には同一の符号を付して説明を省略する。
【００５５】
上記の様に形成した液晶表示装置では、液晶層１０４において、液晶分子の配向がそろっている複数の層を成すように液晶分子が分布することは第1実施例の場合と同様である。しかし、スメクティックＣ相を示す液晶を用いると、液晶層１０４内の複数の層において、液晶分子の配向方位が平行となる。従って、隣接する層の屈折率は、液晶層１０４に電圧を印加して状態であっても、電圧を印加しない状態であっても同一であって、隣接する層との屈折率差を電界制御することが出来ない。
【００５６】
したがって、上記の液晶表示装置において、画素電極１３１及び対向電極１７３に電圧を印加した状態であっても、印加しない状態であっても、表示領域１１０の表示状態は黒のままで変化しなかった。
【００５７】
（第２比較例）
次に、本発明の第２比較例に係る液晶表示装置について説明する。本比較例に係る液晶表示装置は、第１実施例に係る液晶表示装置とはスペーサの高さを変えて形成した。すなわち、本比較例に係る液晶表示装置として、液晶層１０４の厚さが１μｍ、２μｍ、３μｍ、５μｍ、１０μｍ、２０μｍの６種類の液晶表示装置を形成した。このこと以外は、前述の第１実施形態にかかる液晶表示装置と同様であることから、同一の構成には、同一の符号を付して説明を省略する。
【００５８】
これら本比較例に係る６種類の液晶表示装置について、反射率とコントラスト比を測定した結果を図１０、図１１に示す。図１０及び図１１に示すように、液晶層１０４の厚さが３μｍ以上の液晶表示装置において、良好な反射率とコントラストが得られた。
【００５９】
すなわち、スメティック液晶の交互傾斜相（ＳｍＣＡ）を示す液晶を用いた場合、液晶層１０４の厚さが３μｍ以上のときには、液晶層１０４内に入射した光が、最初の境界面で反射せずに透過した光があったとしても次の境界で反射させることができる。更にその境界で反射せずに透過した光があったとしても、その次の境界面で反射させることができる。このように、液晶層１０４内に複数の境界面があることにより、入射した光を効率よく反射させることができる。
【００６０】
したがって、液晶層１０４内の厚さが３μｍ以上の場合に良好な反射率及びコントラストが得られる事になる。その結果、液晶層１０４の厚さを厚くすることなく十分な明るさ及びコントラストを得ることができることから、消費電力を高くする必要がなくなる。
【００６１】
（第３比較例）
次に本発明の第３比較例に係る液晶表示装置について説明する。本比較例に係る液晶表示装置として、第１実施例に係る液晶表示装置とは配向膜６を様々な強さでラビングすることにより、液晶層１０４に含まれる液晶分子のプレチルト角が５°、１０°、１５°、４５°、６０°、７５°の６種類の液晶表示装置を形成した。
【００６２】
本比較例に係る液晶表示装置は、このこと以外は上記の第１実施例に係る液晶表示装置と同様であることから、同一の構成には同一の符号を付して説明を省略する。
【００６３】
これら６種類の液晶表示装置について、反射率とコントラストを測定した結果を図１２及び図１３に示す。図１２及び図１３に示すように、液晶分子のプレチルト角が１５°〜７５°の範囲で形成された液晶表示装置において、良好な反射率とコントラストが得られた。
【００６４】
すなわち、上記実施例および比較例に係る液晶表示装置の評価結果から、本実施形態に係る液晶表示装置に係る液晶表示装置によれば、十分な明るさが得られるとともに、消費電力が低い液晶表示装置を提供することができる。
【００６５】
なお、この発明は、上記実施形態そのままに限定されるものではなく、実施段階ではその要旨を逸脱しない範囲で構成要素を変形して具体化できる。
【００６６】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】本発明の一実施の形態に係る液晶表示装置の一例を示す斜視図。
【図２】図１に示す液晶表示装置の一構成例を説明するための図。
【図３】図１に示す液晶表示装置の液晶表示装置の一構成例を説明するための断面図。
【図４】図１に示す液晶表示装置のアレイ基板の一構成例を説明するための断面図。
【図５】図１に示す液晶表示装置の液晶層に電圧を印加しない状態での表示状態の一例を説明するための図。
【図６】図１に示す液晶表示装置の液晶層に電圧を印加した状態での表示状態の一例を説明するための図。
【図７】図１に示す液晶表示装置の第1実施例に係る液晶表示装置の液晶層に電圧を印加しない状態での断面の一例を示す図。
【図８】図１に示す液晶表示装置の第1実施例に係る液晶表示装置の液晶像に電圧を印加した状態での断面の一例を示す図。
【図９】図１に示す液晶表示装置の第２比較例に係る６種類の液晶表示装置の評価結果の一例を説明するための図。
【図１０】図１に示す液晶表示装置の第２比較例に係る６種類の液晶表示装置の評価結果の一例を説明するための他の図。
【図１１】図１に示す液晶表示装置の第３比較例に係る６種類の液晶表示装置の評価結果の一例を説明するための図。
【図１２】図１に示す液晶表示装置の第３比較例に係る６種類の液晶表示装置の評価結果の一例を説明するための他の図。
【符号の説明】
【００６８】
１０１…アレイ基板、１０２…対向基板、１０４…液晶層
【図１】
2008102288.tif 000003
【図２】
2008102288.tif 000004
【図３】
2008102288.tif 000005
【図４】
2008102288.tif 000006
【図５】
2008102288.tif 000007
【図６】
2008102288.tif 000008
【図７】
2008102288.tif 000009
【図８】
2008102288.tif 000010
【図９】
2008102288.tif 000011
【図１０】
2008102288.tif 000012
【図１１】
2008102288.tif 000013
【図１２】
2008102288.tif 000014